(57)【要約】【課題】絞り部の後部に紙等を引っ掛かりにくくできる排水ソケットを提供する。【解決手段】便器４１の排水管部に接続される第１接続部１１と、床面等の排水配管５０に接続される第２接続部１２と、前記第１接続部１１と前記第２接続部１２との間を繋ぐ排水路本体部１３と、を備え、前記排水路本体部１３は、下側に向かって前後方向の一方側に傾斜する傾斜部１４を有し、前記排水路本体部１３の上流端部には、絞り部３０が設けられ、前記絞り部３０のうち前記傾斜部が傾斜する前記一方側に位置する面３７は、左右方向の中央から左右方向の端側に向かって、前記第１接続部１１の中心Ｃとの間の水平方向の距離Ｂ１が大きくなる部分を有する。【選択図】図３
2020197010.tif 000002
【特許請求の範囲】
【請求項１】
便器の排水管部に接続される第１接続部と、
床面等の排水配管に接続される第２接続部と、
前記第１接続部と前記第２接続部との間を繋ぐ排水路本体部と、
を備え、
前記排水路本体部は、下側に向かって前後方向の一方側に傾斜する傾斜部を有し、
前記排水路本体部の上流端部には、絞り部が設けられ、
前記絞り部のうち前記傾斜部が傾斜する前記一方側に位置する面は、左右方向の中央から左右方向の端側に向かって、前記第１接続部の中心との間の水平方向の距離が大きくなる部分を有する排水ソケット。
【請求項２】
前記傾斜部の前記一方側とは反対側の面は、上流側よりも下流側が鉛直に近い勾配をなしている請求項１に記載の排水ソケット。
【請求項３】
前記絞り部の前記一方側の面の下流側に、鉛直方向の下方に向かって前記一方側とは反対側に傾斜する傾斜面が設けられている請求項１又は請求項２に記載の排水ソケット。
【請求項４】
前記絞り部の前記一方側に位置する部分が、鉛直方向に対して交差方向に広がる段差面を有している請求項１から請求項３のいずれか一項に記載の排水ソケット。
【請求項５】
前記第１接続部が前記便器の排水管部に接続された状態において、
前記絞り部の前記一方側に位置する部分が、前記便器の排水管部の前記一方側に位置する部分よりも前記一方側に位置している請求項１から請求項４のいずれか一項に記載の排水ソケット。
【請求項６】
便器の排水管部を有する便器と、
請求項１から請求項５のいずれか一項に記載の排水ソケットと、
を備えている排水ソケットを備えた便器。
【発明の詳細な説明】
【技術分野】
【０００１】
本発明は、排水ソケット及び排水ソケットを備えた便器に関する。
【背景技術】
【０００２】
従来、便器の排水管部と床面等に設けられた排水配管との間を繋ぐ排水ソケットが知られている。排水ソケットは、一般に、便器の排水管部に接続される第１接続部と、床面等に設けられた排水配管に接続される第２接続部と、第１接続部と第２接続部との間を繋ぐ排水路本体部と、を備えている。排水ソケットは、下流側に向かって後方に傾斜した傾斜部を有するものがある。このような傾斜部を有する排水ソケットにおいて、例えば下記特許文献１には、排水路本体部の上流端部に、絞り部が設けられたものが記載されている。この排水ソケットは、便器の排水管部からの洗浄水を絞り部に衝突させ、サイホン力を高めるようになっている。
【先行技術文献】
【特許文献】
【０００３】
【特許文献１】特開２００８−１８４７４５号公報
【発明の概要】
【発明が解決しようとする課題】
【０００４】
しかしながら、上記のような構成では、絞り部の後部に洗浄水とともに流下する紙等が集まりやすい。絞り部の後部に集まった紙等がそこに引っ掛かると、詰まりを生じる虞があるため改善が望まれていた。
【０００５】
本発明は上記のような事情に基づいて完成されたものであって、絞り部に紙等を引っ掛かりにくくできる排水ソケットを提供することを目的とする。
【課題を解決するための手段】
【０００６】
本発明の排水ソケットは、便器の排水管部に接続される第１接続部と、床面等の排水配管に接続される第２接続部と、前記第１接続部と前記第２接続部との間を繋ぐ排水路本体部と、を備え、前記排水路本体部は、下側に向かって前後方向の一方側に傾斜する傾斜部を有し、前記排水路本体部の上流端部には、絞り部が設けられ、前記絞り部のうち前記傾斜部が傾斜する前記一方側に位置する面は、左右方向の中央から左右方向の端側に向かって、前記第１接続部の中心との間の水平方向の距離が大きくなる部分を有するものである。
本発明の排水ソケットを備えた便器は、便器の排水管部を有する便器と、前記排水ソケットと、を備えているものである。
本発明における前後方向の一方側とは、傾斜部の傾斜方向を水平面上に投影したときの水平面上における方向である。本発明における左右方向とは、本発明における前後方向に対して交差する方向である。本発明における上下方向とは、排水ソケットを施工した状態（第２接続部を床面等の排水管部に接続した状態）における上下方向である。
【発明の効果】
【０００７】
本発明によれば、絞り部のうち傾斜部が傾斜する一方側に位置する面は、第１接続部の中心との水平方向の距離が一定の円弧面である場合に比べて、左右方向の両端部が外側に広い。したがって、絞り部の一方側に位置する面の左右方向の中心に紙等が集中しにくく、また流路面積が大きいから紙等が流下しやすい。よって、絞り部に紙等を引っ掛かりにくくできる。
【図面の簡単な説明】
【０００８】
【図１】実施例１における排水ソケットであって、便器の排水管部と床面の排水配管とを連結した状態を示す断面図
【図２】排水ソケットを示す断面図
【図３】排水ソケットの垂下管の上部材を示す平面図
【図４】排水ソケットの水の流れを説明する図
【図５】実施例２における排水ソケットを示す断面図
【図６】排水ソケットを示す一部拡大平面図
【発明を実施するための形態】
【０００９】
本発明の好ましい形態を以下に示す。
本発明の排水ソケットにおいて、前記傾斜部の前記一方側とは反対側の面は、上流側よりも下流側が鉛直に近い勾配をなしているものとしてもよい。このような構成によれば、絞り部の一方側に位置する部分に衝突して傾斜部の一方側とは反対側の面に跳ね返った洗浄水は、傾斜部の一方側とは反対側の面の下流側の鉛直に近い勾配によって、勢い良く排水される。したがって、排水路本体部に紙等を引っ掛かりにくくできる。
【００１０】
また、本発明の排水ソケットは、前記絞り部の前記一方側の面の下流側に、鉛直方向の下方に向かって前記一方側とは反対側に傾斜する傾斜面が設けられているものとしてもよい。このような構成によれば、絞り部の一方側に位置する部分に衝突した洗浄水が傾斜面に沿って傾斜部の一方側とは反対側の面に流下し、傾斜部の一方側とは反対側の面に沿って勢い良く流下するからサイホン力を向上できる。
【００１１】
また、本発明の排水ソケットは、前記絞り部の前記一方側に位置する部分が、鉛直方向に対して交差方向に広がる段差面を有しているものとしてもよい。このような構成によれば、絞り部の一方側に位置する部分に多量の洗浄水が衝突して、水膜を確実に形成することができるから、サイホンを確実に発生させることができる。
【００１２】
また、本発明の排水ソケットは、前記第１接続部が前記便器の排水管部に接続された状態において、前記絞り部の前記一方側に位置する部分が、前記便器の排水管部の前記一方側に位置する部分よりも前記一方側に位置しているものとしてもよい。このような構成によれば、絞り部の一方側に位置する部分が便器の排水管部の一方側に位置する部分より一方側と反対側に位置する場合に比べて、絞り部の一方側に位置する部分に衝突した洗浄水は、傾斜部の一方側とは反対側の面の低い位置に向かう。したがって、絞り部の一方側に位置する部分に衝突した洗浄水と、便器の排水管部から流下する洗浄水とが、傾斜部の低い位置で合流するから、サイホンが発生する水膜形成位置が下がるためサイホン力を強くできる。
【００１３】
＜実施例１＞
以下、本発明を具体化した実施例１について、図１〜図４を参照しつつ詳細に説明する。
本実施例における排水ソケット１０は、便器４１の排水管部（便器排水管部４０と称する。）に接続される第１接続部１１と、床面の排水配管５０に接続される第２接続部１２と、第１接続部１１と第２接続部１２との間を繋ぐ排水路本体部１３と、を備えている。
【００１４】
以下、各構成部材において、便器４１に通常の姿勢で座る人の向きを基準とし、図１の左側（傾斜部１４の傾斜方向）を後方、図１の右側を前方、図１の上側を上方、図１の下側を下方として説明する。また、図１の紙面に垂直な方向の手前側を右方、図１の紙面に垂直な方向の奥側を左方として説明する。
【００１５】
便器４１は、便鉢部４２と、便鉢部４２の底部から便器４１の後方に向かって延びる便器排水路４３とを有している。便器排水路４３は、便鉢部４２の底部から斜め上方に延びた後、下方に延び、その下流端において鉛直方向下向きに開口している。便器排水路４３の下流端は便器排水管部４０に形成されている。便器排水管部４０は、円筒形状をなし、便器４１の後端部において鉛直方向下向きに突出している。
【００１６】
排水ソケット１０は、第１接続部１１を有する垂下管１５と、垂下管１５の下端部から略水平に延びるアジャスター管１６と、アジャスター管１６の先端部に連結された連結管１７とを有している。連結管１７は、第２接続部１２を有している。排水ソケット１０は、アジャスター管１６を所定の長さで切断することにより、第１接続部１１と第２接続部１２との間の水平方向の距離を変えることができる。
【００１７】
垂下管１５の下端部には曲がり部１８が設けられている。曲がり部１８は円弧状をなして屈曲している。曲がり部１８に水が溜まってサイホン作用が発生する。
【００１８】
垂下管１５は、上部材１５Ｕと下部材１５Ｓとに２分割されている。上部材１５Ｕの下端は、下部材１５Ｓの上端に差し込まれて接着剤により接合される。アジャスター管１６は、下部材１５Ｓに一体成形されている。曲がり部１８は、下部材１５Ｓに形成されている。
【００１９】
第１接続部１１は上下両側に開口した円筒状をなしている。第１接続部１１の内部には、上方から便器排水管部４０が挿入される。第１接続部１１の外周面には、パッキン６０が装着される。
【００２０】
パッキン６０は、図２に示すように、第１接続部１１に外嵌するパッキン本体部６１と、パッキン本体部６１の上端から内側に突出するシール部６２とを有している。シール部６２は環状をなし、便器排水管部４０の全周に密着する（図１参照）。
【００２１】
第２接続部１２は、円筒形状をなし、鉛直方向に開口している。第２接続部１２は、排水路本体部１３の下流端に連続している。第２接続部１２は排水配管５０に挿入される。
【００２２】
排水路本体部１３は、垂下管１５、アジャスター管１６、及び連結管１７にわたっている。排水路本体部１３は、傾斜部１４と、傾斜部１４の下流側に連続する曲がり部１８と、曲がり部１８の下流側に連続する水平部１９と、水平部１９の下流側に連続する鉛直部２１とを有している。排水路本体部１３の流路面積は、傾斜部１４、曲がり部１８、水平部１９及び鉛直部２１にわたり概ね一定である。すなわち、垂下管１５の傾斜部１４及び曲がり部１８と、アジャスター管１６と、連結管１７とにわたり内径寸法は概ね一定である。
【００２３】
傾斜部１４は、垂下管１５の上部材１５Ｕに形成されている。傾斜部１４は、鉛直方向に対して傾いている。傾斜部１４は、図２に示すように、下流側に向かって後方に傾斜している。傾斜部１４は、上端から下端に向かって少しずつ後方に変位している。
【００２４】
傾斜部１４の前面（一方側とは反対側の面）２２は、図２に示すように、絞り部後部３１と対向する側に位置している。傾斜部１４の前面２２は、上流側２２Ｕよりも下流側２２Ｓが鉛直に近い勾配をなしている。傾斜部１４の前面２２の断面形状は、図２に示すように、後側に膨らんだ弓状をなして湾曲している。前面２２の下流側２２Ｓの下端は、鉛直方向の上側から見ると、図３に示すように、左右方向に直線状をなしている。
【００２５】
排水路本体部１３の上流端部には、絞り部３０が設けられている。絞り部３０は、鉛直方向に対して交差方向（略水平方向）に広がる第１段差面３３及び第２段差面３４を有している。第２段差面３４は、第１段差面３３より下流側に位置する。第２段差面３４の幅寸法（内外方向の寸法）は、図３に示すように、第１段差面３３の幅寸法よりも小さい。
【００２６】
第１段差面３３は、図３に示すように、絞り部３０の全周に形成された環状をなしている。第１段差面３３は、絞り部３０の左右両側に位置する第１側段差面３３Ｓと、絞り部３０の前側に位置する第１前段差面３３Ｆと、絞り部３０の後側に位置する第１後段差面３３Ｒとを有している。第１後段差面３３Ｒの幅寸法（内外方向の寸法）は、左右方向の中央から左右方向の端側に向かって徐々に小さくなる。
【００２７】
第２段差面３４は、図３に示すように、絞り部３０の左右両側に位置する第２側段差面３４Ｓと、絞り部３０の後側に位置する第２後段差面３４Ｒとを有している。第２側段差面３４Ｓと第２後段差面３４Ｒとは幅寸法（内外方向の寸法）が概ね等しい。
【００２８】
絞り部３０の周面は、図３に示すように、左右一対の側面３５と、前面３６と、後面３７とを有している。前面３６は、左右一対の側面３５の前端側を繋いでいる。後面３７は、左右一対の側面３５の後端側を繋いでいる。絞り部３０の後面３７は、絞り部３０のうち傾斜部１４が傾斜する一方側に位置する面である。
【００２９】
一対の側面３５は、一対の第１側段差面３３Ｓの内縁から略鉛直に垂下している。一対の側面３５は、上方からの平面視では、図３に示すように、略平行をなし、前後方向に直線状に延びている。前面３６は、第１前段差面３３Ｆの内縁から略鉛直に垂下している。前面３６は、上方からの平面視では、第１接続部１１の中心Ｃを中心とした円弧形状をなして湾曲している。後面３７は、第１後段差面３３Ｒの内縁から略鉛直に垂下している。後面３７については後ほど詳しく説明する。
【００３０】
絞り部３０の一方側に位置する部分（絞り部後部３１と称する。）は、図３に示すように、第１後段差面３３Ｒ、第２後段差面３４Ｒ及び後面３７を有している。後面３７は、絞り部後部３１の周面を構成する。後面３７は、図３に示すように、上方からの平面視では、前面３６より大きい半径の円弧形状をなして湾曲している。後面３７は、左右両端３７Ｒ，３７Ｌと第１接続部１１の中心Ｃとの間の水平方向の距離Ｂ１が、左右方向中央と第１接続部１１の中心Ｃとの間の距離Ｂ２よりも大きい。絞り部後部３１と第１接続部１１の中心Ｃとの間の水平方向の距離は、左右方向中央から両端３７Ｒ，３７Ｌに向かって少しずつ増している。なお、絞り部３０は、第１接続部１１の中心Ｃを基準に左右対称である。
【００３１】
絞り部後部３１の下流側には、図２に示すように、鉛直方向の下方に向かって前方に傾斜する傾斜面３８が設けられている。傾斜面３８は、第２後段差面３４Ｒの内縁から垂下している（図３参照）。傾斜面３８は、第２後段差面３４Ｒの内縁から排水路本体部１３の傾斜部１４の上流端までわたっている。傾斜面３８は、傾斜部１４の前面２２の下流側２２Ｓに向かうように傾斜している。言い換えると、図２に示すように、傾斜面３８に沿って下方に延長した仮想傾斜面３９は、傾斜部１４の前面２２の下流側２２Ｓと交差する。傾斜面３８は、対向する絞り部３０の前面３６よりも傾斜している。
【００３２】
傾斜面３８は、上方からの平面視では、図３に示すように、後面３７と略平行な円弧形状をなして湾曲している。すなわち傾斜面３８は、左右方向の両端と第１接続部１１の中心Ｃとの間の水平方向の距離が、左右方向中央と第１接続部１１の中心Ｃとの間の水平方向の距離より大きい。
【００３３】
次に、本実施例の排水ソケット１０の使用例を説明する。
まず、図１に示すように、排水ソケット１０を用いて便器排水管部４０と排水配管５０とを連結する。排水ソケット１０の第２接続部１２を排水配管５０に接続し、便器排水管部４０を第１接続部１１に挿入する。便器排水管部４０の下端は、パッキン６０のシール部６２の下端より下方に突出する。
【００３４】
第１接続部１１が便器排水管部４０に接続された状態では、図１に示すように、絞り部後部３１が、便器排水管部４０の後部（一方側に位置する部分）４４よりも後側に位置している。言い換えると、絞り部後部３１と傾斜部１４の前面２２との水平方向の距離が、便器排水管部４０の後部４４と傾斜部１４の前面２２との水平方向の距離よりも大きい。
【００３５】
便器排水管部４０から排出された水は、図４に示すように、絞り部後部３１に衝突して下流側に水膜Ｗ１を形成し、早期にサイホンが発生する。絞り部後部３１に衝突した水は、傾斜面３８によって矢印Ａのように下流側２２Ｓに流下する。絞り部後部３１から流下した洗浄水は、下流側２２Ｓにおいて便器排水管部４０から矢印Ｂのように流下した洗浄水と合流し、水膜Ｗ２が形成される。このように水膜形成位置が低いため、強いサイホン力が発生する。下流側２２Ｓに流下した水は、下流側２２Ｓの鉛直に近い傾斜に沿って矢印Ｃのように曲がり部１８へ勢い良く流れ込む。このため、水が下向きに強く引っ張られ、サイホン力がより強くなる。
【００３６】
また、水とともに流下する紙等が絞り部後部３１に集まる。ここで、絞り部後部３１は円弧面に比べて左右方向に広がりが大きいから、紙等が中心に集中しにくい。また、絞り部後部３１が円弧面である場合に比べて絞り部３０における流路面積が広いため、紙等は引っ掛かることなく流下する。紙等は強いサイホン力により水とともに勢いよく下方に引き込まれてスムーズに排出される。
【００３７】
次に、上記のように構成された実施例の作用および効果について説明する。
本実施例の排水ソケット１０は、便器４１の排水管部に接続される第１接続部１１と、床面の排水配管５０に接続される第２接続部１２と、第１接続部１１と第２接続部１２との間を繋ぐ排水路本体部１３と、を備えている。排水路本体部１３は、下流側に向かって後方に傾斜する傾斜部１４を有している。排水路本体部１３の上流端部には、絞り部３０が設けられている。絞り部３０の後面３７は、左右方向の両端３７Ｒ，３７Ｌと第１接続部１１の中心Ｃとの間の水平方向の距離Ｂ１が、左右方向の中央と第１接続部１１の中心Ｃとの間の水平方向の距離Ｂ２よりも大きい形状である。この構成によれば、絞り部３０の後面３７は、第１接続部１１の中心Ｃとの水平方向の距離が一定の円弧面である場合に比べて、左右方向の両端部が外側に広い。したがって、絞り部３０の後面３７の中心に紙等が集中しにくく、また流路面積が大きいから紙等が流下しやすい。よって、絞り部後部３１に紙等を引っ掛かりにくくできる。
【００３８】
また、傾斜部１４の前面２２は、上流側よりも下流側が鉛直に近い勾配をなしている。この構成によれば、絞り部後部３１から傾斜部１４の前面２２に流下した洗浄水は、前面２２の下流側の鉛直に近い勾配によって勢い良く排水される。したがって、排水路本体部１３に紙等を引っ掛かりにくくできる。
【００３９】
また、絞り部３０の後面３７の下流側に、鉛直方向の下方に向かって前方に傾斜する傾斜面３８が設けられている。この構成によれば、絞り部後部３１に衝突した洗浄水が傾斜面３８に沿って傾斜部１４の前面２２に流下し、前面２２に沿って勢い良く流下するからサイホン力を向上できる。
【００４０】
また、絞り部後部３１が、鉛直方向に対して交差方向に広がる第１段差面３３及び第２段差面３４を有している。この構成によれば、絞り部後部３１に多量の洗浄水が衝突するから、サイホン力を強くできる。
【００４１】
また、第１接続部１１が便器排水管部４０に接続された状態において、絞り部後部３１が、便器排水管部４０の後部４４よりも後側に位置している。この構成によれば、絞り部後部３１が便器排水管部４０の後部４４より前側に位置する場合に比べて、絞り部後部３１から跳ね返った洗浄水は、傾斜部１４の低い位置に向かう。したがって、絞り部後部３１に衝突して跳ね返った洗浄水と、便器排水管部４０から流下する洗浄水とが、傾斜部１４の低い位置で合流するから、サイホンが発生する水膜形成位置が下がるためサイホン力を強くできる。
【００４２】
＜実施例２＞
次に、本発明を具体化した実施例２に係る排水ソケット７０を図５及び図６によって説明する。
本実施例の排水ソケット７０は、主にアジャスター部を有さない点で、実施例１とは相違する。なお、実施例１と同様の構成には同一符号を付して重複する説明を省略する。
【００４３】
本実施例の排水ソケット７０は、実施例１と同様、第１接続部１１と、第２接続部１２と、排水路本体部１３とを備えている。排水路本体部１３は、実施例１と同様、傾斜部１４を有し、排水路本体部１３の上流端部には、絞り部３０が設けられている。以下、各構成部材については、実施例１と同様、傾斜部１４が下方に向かって傾斜する方向（図５の左側）を後方、その反対側（図５の右側）を前方、図５の上側を上方、図５の下側を下方として説明する。また、図５の紙面に垂直な方向の手前側を右方、図５の紙面に垂直な方向の奥側を左方として説明する。
【００４４】
排水路本体部１３は、傾斜部１４の下流側に鉛直部２１が連続している。傾斜部１４の前面２２は、実施例１と同様、上流側２２Ｕよりも下流側２２Ｓが鉛直に近い勾配をなしている。
【００４５】
絞り部３０は、実施例１と同様、鉛直方向に対して交差方向（略水平方向）に広がる第１段差面３３及び第２段差面３４を有している。
第１段差面３３は、実施例１と同様、絞り部３０の全周に形成された環状をなし、第１側段差面３３Ｓ、第１前段差面３３Ｆ、及び第１後段差面３３Ｒを有している。第１前段差面３３Ｆと第１後段差面３３Ｒとは幅寸法（内外方向の寸法）が概ね等しい。
【００４６】
第２段差面３４は、絞り部３０の左右両側に位置する第２側段差面３４Ｓと、絞り部３０の前側に位置する第２前段差面７１とを有している。第２側段差面３４Ｓと第２前段差面７１とは幅寸法（内外方向の寸法）が概ね等しい。
【００４７】
絞り部３０の周面は、実施例１と同様、左右一対の側面３５、前面３６、及び後面３７を有している。
絞り部後部３１は、第１後段差面３３Ｒ及び後面３７を有している。後面３７は、実施例１と同様、上方からの平面視では、前面３６より大きい半径の円弧形状をなして湾曲している。
【００４８】
絞り部後部３１の下流側には、実施例１と同様、鉛直方向の下方に向かって前方に傾斜する傾斜面３８が設けられている。傾斜面３８は、後面３７の下端から垂下している。傾斜面３８は、実施例１と同様、傾斜部１４の前面２２の下流側２２Ｓに向かうように傾斜している。
【００４９】
傾斜面３８は、実施例１と同様、左右方向の両端と第１接続部１１の中心Ｃとの間の水平方向の距離が、左右方向の中央と第１接続部１１の中心Ｃとの間の水平方向の距離より大きい形状をなしている。傾斜面３８は、上方からの平面視では、後面３７よりも緩い円弧形状をなして湾曲している。すなわち傾斜面３８の半径は後面３７の半径より大きい。
【００５０】
以上のように本実施例においては、実施例１と同様、絞り部後部３１における左右方向の両端部が外側に広いから、絞り部後部３１の中心に紙等が集中しにくく、また流路面積が大きいから紙等が流下しやすい。よって、絞り部３０の後部に紙等を引っ掛かりにくくできる。
【００５１】
また、実施例１と同様、絞り部後部３１の下流側に、鉛直方向の下方に向かって前方に傾斜する傾斜面３８が設けられている。これにより、絞り部後部３１に当たった洗浄水が傾斜面３８に沿って傾斜部１４の前面２２に流下し、前面２２に沿って勢い良く流下するからサイホン力を向上できる。
【００５２】
また、絞り部後部３１が、鉛直方向に対して交差方向に広がる第１段差面３３を有している。この構成によれば、絞り部後部３１に多量の洗浄水が衝突するから、サイホン力を強くできる。
【００５３】
＜他の実施例＞
本発明は上記記述及び図面によって説明した実施例に限定されるものではなく、例えば次のような実施例も本発明の技術的範囲に含まれる。
（１）上記実施例では、本発明を床面に設けられた排水配管５０に接続される排水ソケット１０，７０に適用した場合を説明したが、本発明は、床面に対して略垂直に立つ壁面に設けられた排水配管に接続される壁排水用の排水ソケットにも適用できる。
（２）上記実施例では、絞り部３０が第１段差面３３及び第２段差面３４を有しているが、これに限らず、絞り部は、段差面のかわりに下流側に向かって流路面積を小さくするようなテーパ面を有していても良い。また、絞り部は、３段以上の段差面を有しても良い。
（３）上記実施例では、傾斜部１４の前面２２が、上流側よりも下流側が鉛直に近い勾配をなしているが、傾斜部の前面の勾配は必ずしもこのようにしなくてもよい。
（４）上記実施例では、絞り部後部３１の下流側に傾斜面３８が設けられているが、必ずしも傾斜面を設けなくても良い。
（５）上記実施例では、一対の側面３５が略平行をなし、前後方向に直線状に延びているが、これに限らず、一対の側面は例えば緩く湾曲していてもよい。
（６）上記実施例では、後面３７が円弧形状をなしているが、これに限らず、後面は、左右方向中央から端側に向かって第１接続部の中心との間の水平方向の距離が大きくなる部分を有していればよく、すなわち、後面の少なくとも一部に、そのような部分が形成されていてもよい。
（７）上記実施例では、排水ソケット１０（７０）の傾斜部１４が下側に向かって便器４１の後側に傾斜するものを例示したが、これに限らず、排水ソケットの傾斜部の傾斜方向は下側に向かって水平方向における任意の方向に傾斜するものであってよく、例えば、排水ソケットの傾斜部は、下側に向かって便器の前側、便器の左側または便器の右側に傾斜するものであってもよい。
【符号の説明】
【００５４】
Ｃ…第１接続部の中心
Ｂ１…左右方向の両端と第１接続部の中心との間の水平方向の距離
Ｂ２…左右方向の中央と第１接続部の中心との間の水平方向の距離
１０，７０…排水ソケット
１１…第１接続部
１２…第２接続部
１３…排水路本体部
１４…傾斜部
２２…傾斜部の前面（傾斜部の一方側とは反対側の面）
３０…絞り部
３１…絞り部後部（絞り部の一方側に位置する部分）
３３…第１段差面
３４…第２段差面
３７…絞り部の後面（絞り部のうち傾斜部が傾斜する一方側に位置する面）
３８…傾斜面
４０…便器排水管部（便器の排水管部）
４１…便器
４４…便器排水管部の後部（便器の排水管部の一方側に位置する部分）
５０…排水配管
【図１】
2020197010.tif 000003
【図２】
2020197010.tif 000004
【図３】
2020197010.tif 000005
【図４】
2020197010.tif 000006
【図５】
2020197010.tif 000007
【図６】
2020197010.tif 000008